(57)【特許請求の範囲】
【請求項１】
ペレットと温水との混合物であるスラリーからペレットを分離回収する脱水装置であって、
該脱水装置は、上下方向に配置される所定長さの筒状のスクリーン本体と、該スクリーン本体の内部に固定的に配置され、スラリーを上方から下方へ旋回的に案内する旋回板とからなり、
前記旋回板は、その周部が前記スクリーン本体の内周面に接して、下方に行くにしたがい低くなるように連続して形成されている螺旋状のスロープ体からなり、  上方から供給されるスラリーは、前記筒状のスクリーン本体の内部を前記旋回板により案内されて重力により下方へ旋回しながら移動し、このとき半径外方へ作用する遠心力により前記スクリーンの内周面の方へ片寄り、それによってスラリー中のペレットが前記スクリーン本体により分離回収されることを特徴とする合成樹脂ペレットの脱水装置。
【請求項２】
請求項１に記載の脱水装置において、前記旋回板は前記スクリーン本体に接する側は中心部より低くなっている螺旋状のスロープ体からなることを特徴とする合成樹脂ペレットの脱水装置。
【請求項３】
請求項１に記載の脱水装置において、前記スクリーン本体と前記旋回板の径は下方にいくほど小さくなっていることを特徴とする合成樹脂ペレットの脱水装置。
【発明の詳細な説明】
【０００１】
【発明の属する技術分野】
本発明は、ペレットと温水との混合物であるスラリーからペレットを分離回収する合成樹脂ペレットの脱水装置に関するものである。
【０００２】
【従来の技術】
合成樹脂のペレットの製造方法は、文献名を挙げるまでもなく従来周知で、一般に次のようにして製造されている。すなわち、混練機から押し出される溶融樹脂を高温水中で所定大きさにカットして、ペレットと温水との混合物であるスラリーを得て、そしてスラリーを所定箇所へ搬送するときペレットを冷却固化し、次いで製品であるペレットをスクリーンで分離回収している。このようにして温水からペレットを分離回収する脱水装置は、図２に示されているように、スクリーン５０を備えている。このスクリーン５０は、箱体５４内に一方向に傾斜して設けられ、スクリーン５０の上方位置にスラリー供給口５１が、そして下方の側方にペレット排出口５２がそれぞれ設けられている。したがって、スラリー供給口５１からペレットと温水とからなるスラリーを供給すると、ペレットと温水はスクリーン５０上を重力により下降する。このとき、ペレットはスクリーン５０で分離され「網上」となって、重力により下方へ送られ、そしてペレット排出口５２から外部へ排出される。一方、温水はスクリーン５０の下部へ落下し、そして排水口５３から排水される。
【０００３】
【発明が解決しようとする課題】
上記のように、従来のペレットの脱水方法あるいは装置は、重力を利用するようになっているので、ランニングコストが低いという長所があり、また構造が比較的単純で安価であるので、小規模のペレット製造装置に適用する上では格別に問題はない。しかしながら、能力の大きい混練機すなわちペレット製造装置に適用しようとすると、スクリーン５０の面積を広くしなければならないので、脱水装置が大型化する欠点がある。装置が大型化すると、製作コストがアップすると共に、ユーザまでの輸送費も嵩むようになる。さらには、設置スペースの問題も生じるようになる。また、脱水に重力が利用されているが、垂直方向の重力が単に利用されているにすぎないので、脱水効果は必ずしも良くない。
本発明は、上記したような従来の欠点あるいは問題点を解消した合成樹脂ペレットの脱水方法および脱水装置を提供しようとするもので、具体的にはコンパクトで重力を利用して分離することができるにも拘わらず、多量のスラリーを処理できる合成樹脂ペレットの脱水方法およびこの方法の実施に使用されるペレットの脱水装置を提供することを目的としている。
【０００４】
【課題を解決するための手段】
本発明の上記目的は、スクリーンを軸方向に所定長さの筒状に構成し、そしてペレットと温水の混合物であるスラリーをスクリーンの内部で、重力により下方へ送り、このとき旋回流を起こさせ、旋回するときの遠心力によりスラリーをスクリーンの方へ片寄らせ、そしてスクリーンで分離するように構成することにより達成される。このとき、スラリーはスクリーンの内側で複数回旋回するように構成される。スクリーンはペレットを濾過するもので、処理するペレットの大きさよりも小さい網目の金網あるいはパンチングプレートから構成される。処理するときのスラリーの温度は、格別に限定されない。このようにして、請求項１に記載の発明は、上記目的を達成するために、ペレットと温水との混合物であるスラリーからペレットを分離回収する脱水装置であって、該脱水装置は、上下方向に配置される所定長さの筒状のスクリーン本体と、該スクリーン本体の内部に固定的に配置され、スラリーを上方から下方へ旋回的に案内する旋回板とからなり、前記旋回板は、その周部が前記スクリーン本体の内周面に接して、下方に行くにしたがい低くなるように連続して形成されている螺旋状のスロープ体からなり、上方から供給されるスラリーは、前記筒状のスクリーン本体の内部を前記旋回板により案内されて重力により下方へ旋回しながら移動し、このとき半径外方へ作用する遠心力により前記スクリーンの内周面の方へ片寄り、それによってスラリー中のペレットが前記スクリーン本体により分離回収されるように構成される。
請求項２に記載の発明は、請求項１に記載の脱水装置において、前記旋回板は、前記スクリーン本体に接する側は中心部より低くなっている螺旋状のスロープ体からなるように構成され、請求項３に記載の発明は、請求項１に記載の脱水装置において、前記スクリーン本体と前記旋回板の径は下方にいくほど小さくなっている。
【０００５】
【発明の実施の形態】
以下、図１により本発明の実施の形態を説明する。本実施の形態に係わるペレットの脱水装置は、図１の（イ）に示されているように、上下方向あるいは軸方向に所定長さのスクリーン１を備えている。このスクリーン１は、所定径の網目２、２、…が形成されている金網あるいはパンチングプレートから、円筒状に形成されている。そして、その下方端は開放しているが上方端部３は、蓋体あるいは取付部材４に着脱自在に固定されている。このように構成されているスクリーン１の内部に、スラリーに旋回流を起こさせるスラリー案内体１０が配置されている。
【０００６】
スラリー案内体１０は、強度部材としても作用する所定長さの軸１１と、この軸１１の周りに取り付けられている旋回板１２とからなっている。旋回板１２は、図１の（ロ）に示されているように、水平断面で見ると略水平になっているが、下方に行くに従い低くなるように連続した螺旋状に形成され、そして中心部において軸１１に取り付けられている。この旋回板１２の周縁部１３は、スクリーン１の内側に接する大きさに選定され、その下端部はペレット排出シュート１４に接続されている。このように構成されているスラリー案内体１０は、その軸１１の上端部がボルト１５、１５、…により取付部材４に組み立て自在に取り付けられている。これにより、本実施の形態ではスクリーン１とスラリー案内体１０は、ユニット化されている。なお、取付部材４の側方にはスラリー供給管５が取り付けられている。
【０００７】
上記のようにユニット化されたスクリーン１とスラリー案内体１０とにより、ペレットを分離回収することはできるが、本実施の形態では所定大きさの分離ケース２０が備えられている。そして、この分離ケース２０の内側に、ユニット化されたスクリーン１とスラリー案内体１０を上方から挿入し、取付部材４を分離ケース２０の上縁２１に載置固定することにより、ペレットの脱水装置が組み立てられるようになっている。なお、分離ケース２０の下端部には温水排水口２２が設けられている。
【０００８】
次に、上記ペレットの脱水装置の作用について説明する。ペレタイザーから送られてくるペレットと温水との混合物であるスラリーをスラリー供給管５から旋回板１２の上に供給する。スラリーは、旋回板１２上を主として重力により下方へ流れる。このとき、スラリーは連続して供給されるので、先行のスラリーには後行のスラリーにより押されるような力も作用する。下方へ流れるときに、スラリーには遠心力が作用し、スラリーは図１の（ロ）に示されているように、スクリーン１の方へ片寄った流れとなる。これにより、温水はスクリーン１の外側へ排水される。ペレットはスクリーン１の内側に残る。この分離作用がスクリーン１の上端部から下端に達するまで連続して行われる。脱水されたペレットは、旋回板１２の下端部に接続されているペレット排出シュート１４から回収される。温水は、分離ケース２０により下方へ集められ、そして下端部の温水排水口２２から外部へ排水される。
【０００９】
本発明は、上記実施の形態に限定されることなく、色々な形で実施できる。例えば、スラリーは遠心力によりスクリーン１の内周面の方へ片寄って下方へ流れるので、中心部の軸１１が脱水効果に与える影響は小さい。したがって、本実施の形態では軸１１の径は比較的大きくなって強度部材としても利用されているが、軸１１が無くても実施できることは明らかである。また、旋回板１２は、図１の（ロ）に示すスクリーン１に接する側１２’を中心部よりも低くすることもできる。これにより、スラリーの流れをスクリーン１の方へ一層片寄らせることができる。さらには、旋回板１２の径を下方へ行くほど小さくして、旋回半径を小さくすることもできる。このときは、スクリーン１も下方へ行くほどテーパ状に縮径される。また、軸心を多少傾け、円周方向の位置により遠心力に強弱をもたせるように実施することもできる。これにより、旋回流は乱れてスラリーは攪拌され、均一に脱水される。
【００１０】
【発明の効果】
以上のように、本発明によると、ペレットと温水との混合物であるスラリーからペレットを分離回収する脱水装置が上下方向に配置される所定長さの筒状のスクリーン本体と、該スクリーン本体の内部に固定的に配置され、スラリーを上方から下方へ旋回的に案内する旋回板とからなり、前記旋回板は、その周部が前記スクリーン本体の内周面に接して、下方に行くにしたがい低くなるように連続して形成されている螺旋状のスロープ体からなり、上方から供給されるスラリーは、前記筒状のスクリーン本体の内部を前記旋回板により案内されて重力により下方へ旋回しながら移動し、このとき半径外方へ作用する遠心力により前記スクリーンの内周面の方へ片寄り、それによってスラリー中のペレットが前記スクリーン本体により分離回収されるようになっているので、すなわちスクリーン本体が筒状になっているので、投影面積あるいは設置スペースは狭くても濾過面積は広くでき、また遠心力が利用されるので、コンパクトであるにも拘わらず、大量のスラリーを処理できるという、本発明に特有の効果が得られる。また、本発明によると、合成樹脂ペレットの脱水装置がコンパクトに構成されるので、ユーザまでの輸送費が安くなる効果も得られる。さらには、旋回板は駆動されることなく固定的に配置され重力によりスラリーに旋回流を起こさせて分離するので、ランニングコストも殆どかからない利点もある。
また、他の発明によると、前記旋回体は前記スクリーン本体に接する側は中心部より低くなっている螺旋状のスロープ体からなるので、前記のような効果に加えて、スラリーの流れをスクリーン側へ一層片寄らせることができる。さらに他の発明によると、前記スクリーン本体と前記旋回板の径は下方にいくほど小さくなっているので、下方へいくほど遠心力は大きくなっている。
【図面の簡単な説明】
【図１】  本発明の実施の形態に係わる合成樹脂ペレットの脱水装置を示す図で、その（イ）は全体を示す断面図で、その（ロ）は（イ）において矢視ローロ方向に見た断面図である。
【図２】  従来例を一部断面にして示す正面図である。
【符号の説明】
１      スクリーン                   ２      網目
１０      スラリー案内体             １２      旋回板（スロープ体）
１３      周縁部
【図１】
0004252738.tif 000002
【図２】
0004252738.tif 000003